(57)【特許請求の範囲】
【請求項１】
歯口を挟んで対向する少なくとも一対の針床と、歯口下方に配置され、編成されて垂下する編地を巻下げる巻下げ装置とを備える横編機で、編成を先に開始する基本編地の編成の途中から、基本編地を編成している針床の区間とは異なる区間を使用して、ウエール方向の長さが基本編地よりも短い付加編地の編成も開始し、付加編地の下端が巻下げ装置に達する前に、付加編地を基本編地に接合し、さらに接合後の編地で、付加編地側を基本編地側となる編幅の内側に寄せて編目を重ね、重ねた編目に続く新たな編目を形成することを繰返して編幅を減少させる、横編機による編地の編成方法において、
付加編地の下端に、捨て編み部を、付加編地を編成する区間の端部のうち、寄せる方向とは逆となる編幅の外側端部側が長くなる形状となるように設けておき、
寄せを開始する際には、捨て編み部の外側端部側の下端を巻下げ装置で巻下げる、
ことを特徴とする横編機による編地の編成方法。
【請求項２】
前記捨て編み部の形状は、
前記付加編地の下端部に対応する編幅を有する広幅部分と、
広幅部分の下端の前記外側端部側に設けられ、広幅部分よりも編幅が狭い狭幅部分と、
を有する、
ことを特徴とする請求項１記載の横編機による編地の編成方法。
【請求項３】
前記捨て編み部の形状は、
前記広幅部分と前記狭幅部分とが帯状である、
ことを特徴とする請求項２記載の横編機による編地の編成方法。
【請求項４】
前記基本編地は、ニットウエアの身頃であり、
前記付加編地は、身頃よりも丈の短い袖である、
ことを特徴とする請求項１から３の一つに記載の横編機による編地の編成方法。
【請求項５】
前記身頃は、裾が広がるスカート部分と一体に続く形状を有して、該スカート部分の少なくとも下端側を、前記短い袖の編成に使用する区間を含む、広い範囲の針床の区間を使用して編成し、
前記捨て編み部は、該身頃の編成に使用する針床の区間の範囲が減少して、該捨て編み部を編成するための区間を含まなくなってから編成する、
ことを特徴とする請求項４記載の横編機による編地の編成方法。
【発明の詳細な説明】
【技術分野】
【０００１】
本発明は、横編機で複数の編地を接合した後で、一体化した編幅を減少させる寄せと編目形成とを繰返す、横編機による編地の編成方法に関する。
【背景技術】
【０００２】
従来から、横編機を使用し、セーター等のニットウエアは、身頃と両袖とを脇下までそれぞれ筒状編地として編成した後、身頃と両袖とを接合する技術が知られている。このような接合後の筒状体は、径が大きくなるので、袖側を身頃側に寄せて編目を重ね、重ねた編目に続いてニットで新たな編目を形成することで、編幅を減少させながら編成を続ける（たとえば、特許文献１参照）。
【０００３】
図４は、（ａ）で編地の接合編成に使用する横編機１の基本的な構成（たとえば、特許文献２参照）を簡略化して示し、（ｂ）でニットウエア５の接合編成を行う直前の状態を簡略化して示し、（ｃ）で接合編成時に発生する問題を示す。横編機１は、歯口２を挟んで対向する針床３，４を備え、各針床３，４に並設する編針でニットウエア５などの編地を編成する。編成された編地は、歯口２の下方に設ける巻下げローラ６などを含む巻下げ装置で巻き下げる。編地の編成を安定して続けるためには、編地を適正な力で下方に引下げる必要がある。ニットウエア５では、身頃７の両側に袖８をそれぞれ分離した筒状編地として編成し、脇下５ａに達すると接合して一つの筒状体を形成してから、筒状体の径を縮小するように、編幅を狭める寄せを行う。このような寄せを行う際には、目移しやニット編成を繰返すので、クリアやノックオーバを確実に行うため、編地の引下げを適切に行う状態にしておく必要がある。
【０００４】
特許文献１の図１に示されているセーターでは、両側の袖８に相当する部分の丈が長く、身頃７に相当する部分の丈と同等であるので、特許文献２に示されるような横編機１で編成する際に、問題は生じない。しかしながら、袖８の丈が短い場合は、袖８の編成を開始するまでに、身頃７と並行して、捨て編み部９を編成し、巻下げローラ６による巻下げ力が身頃７と同等に袖８にも掛るようにしておく必要がある。
【先行技術文献】
【特許文献】
【０００５】
【特許文献１】国際公開第０１／０８８２４３号
【特許文献２】特公平３−０７７２９８号公報
【発明の概要】
【発明が解決しようとする課題】
【０００６】
図４（ｂ）の捨て編み部９を、捨て編み部９ａとして示すように短くして、身頃７の編成の途中から編出すようにする場合、編出し装置を使用することができない。この場合、図４（ｃ）に示すような捨て編み部９ａの下端が巻下げローラ６に掛からない状態で寄せを行うと、袖８の編幅の内側は接合された身頃７側の引下げとともに引下げられても、編幅の外側は引下げられない。捨て編み部９ａが編幅の内側の身頃７側に傾いて、編幅の外側には巻下げ力が掛からなくなってしまうと、編成が不安定になるおそれがある。安定した編成のためには、図４（ｂ）の捨て編み部９ｂのように、寄せを行う際には巻下げローラ６に掛かるような余裕ある長さにしておく必要がある。捨て編み部９ｂの長さに余裕があれば、外側も巻下げローラ６に掛かるようにすることができる。
【０００７】
寄せを行うまでに編幅の外側にも巻下げ力が掛かるようにするために、編み部９ｂを長くすれば、安定な編成を行うことができるけれども、長い捨て編み部９，９ｂは、使用する編糸の使用量が多くなって、生産コストを上昇させてしまう。短い捨て編み部９ａを身頃７の編成の途中から編出すような場合に、横編機で再度編出し装置を使用することを可能にするために、巻下げローラ６が退避するような技術も提案されているけれども、装置が複雑になって、装置コストを上昇させてしまう。
【０００８】
本発明の目的は、ニットウエアなどの袖の丈が身頃よりも短いような場合でも、捨て編み部を少なくして、安定した編成が可能な、横編機による編地の編成方法を提供することである。
【課題を解決するための手段】
【０００９】
本発明は、歯口を挟んで対向する少なくとも一対の針床と、歯口下方に配置され、編成されて垂下する編地を巻下げる巻下げ装置とを備える横編機で、編成を先に開始する基本編地の編成の途中から、基本編地を編成している針床の区間とは異なる区間を使用して、ウエール方向の長さが基本編地よりも短い付加編地の編成も開始し、付加編地の下端が巻下げ装置に達する前に、付加編地を基本編地に接合し、さらに接合後の編地で、付加編地側を基本編地側となる編幅の内側に寄せて編目を重ね、重ねた編目に続く新たな編目を形成することを繰返して編幅を減少させる、横編機による編地の編成方法において、
付加編地の下端に、捨て編み部を、付加編地を編成する区間の端部のうち、寄せる方向とは逆となる編幅の外側端部側が長くなる形状となるように設けておき、
寄せを開始する際には、捨て編み部の外側端部側の下端を巻下げ装置で巻下げる、
ことを特徴とする横編機による編地の編成方法である。
【００１０】
また本発明で、前記捨て編み部の形状は、
前記付加編地の下端部に対応する編幅を有する広幅部分と、
広幅部分の下端の前記外側端部側に設けられ、広幅部分よりも編幅が狭い狭幅部分と、
を有する、
ことを特徴とする。
【００１１】
また本発明で、前記捨て編み部の形状は、
前記広幅部分と前記狭幅部分とが帯状である、
ことを特徴とする。
【００１２】
また本発明で、前記基本編地は、ニットウエアの身頃であり、
前記付加編地は、身頃よりも丈の短い袖である、
ことを特徴とする。
【００１３】
また本発明で、前記身頃は、裾が広がるスカート部分と一体に続く形状を有して、該スカート部分の少なくとも下端側を、前記短い袖の編成に使用する区間を含む、広い範囲の針床の区間を使用して編成し、
前記捨て編み部は、該身頃の編成に使用する針床の区間の範囲が減少して、該捨て編み部を編成するための区間を含まなくなってから編成する、
ことを特徴とする。
【発明の効果】
【００１４】
本発明によれば、基本編地よりもウエール方向の長さが短い付加編地を基本編地に接合して、付加編地側を基本編地側に寄せて重ねながら編目を形成して、編幅を減少させる際に、付加編地の下端に設ける捨て編み部は、寄せる方向とは逆となる外側端部側が長くなる形状にしておく。捨て編み部は、下端が巻下げ装置に到達すると、下端が一様ではなく、外側端部側を先に巻下げ装置で巻下げることができる。捨て編み部は、寄せを行うまでに外側端部側の部分のみが巻下げ装置に掛かるようにすればよいので、捨て編み部全体としては長さに余裕を持たせる必要はなくなり、外側端部側のみ編幅を狭くして必要な長さにして、編糸の使用量を少なくすることができる。捨て編み部は、編糸の使用量が少なくなっても、寄せを行う際には、編幅の外側に対して巻下げ力を確実に作用させることができ、安定した編成を可能にすることができる。
【００１５】
また本発明によれば、捨て編み部は、付加編地の下端部分の編幅に対応する編幅を有する広幅部分と、編幅が広幅部分よりも狭い狭幅部分とで形成する。狭幅部分は、広幅部分よりも編糸の使用量を少なくして、しかも寄せる際に付加編地を寄せる方向とは逆となる編幅の外側に傾かせて巻下げ装置に掛かるようにして、安定な編成を可能にすることができる。狭幅部分の巻下げが進行すると、広幅部分が巻下げ装置に掛かるようになり、付加編地の下端部分の全体に対して一様な巻下げ力を作用させることができる。
【００１６】
また本発明によれば、広幅部分と狭幅部分とを帯状に形成すればよいので、それぞれ編幅を一定にして、編糸の使用量を最小限に抑えながら編成することができる。
【００１７】
また本発明によれば、身頃に対して丈の短い半袖などのニットウエアの編成は、捨て編み部を少なくして、安定に行うことができる。
【００１８】
また本発明によれば、裾が拡がったスカート部分が一体化された身頃を有するニットウエアを、針床を有効に使用して編成することができる。
【図面の簡単な説明】
【００１９】
【図１】図１は、本発明の実施例１としての編地の編成方法を適用するニットウエア１０の簡略化した構成を示す正面図、横編機１の簡略化した側面図、および袖１２に設ける捨て編み部１３の効果を示す。
【図２】図２は、図１に示すニットウエア１０に設ける捨て編み部１３，１４，１５，１６，１７の例を示す部分的な正面図である。
【図３】図３は、本発明の実施例２としての編地の編成方法を適用するニットウエア２０の簡略化した構成を示す正面図である。
【図４】図４は、従来からの横編機１の構成を簡略化して示す側面図、編地の編成方法を適用するニットウエア５の簡略化した構成を示す正面図、および袖８に設ける捨て編み部９が短い場合に生じ得る問題を示す部分的な正面図である。
【発明を実施するための形態】
【００２０】
以下、図１〜図３で本発明の二つの実施例を説明する。各実施例の説明では、図４に関するものも含めて、先に説明した部分に対応する部分には同一の参照符を付し、また、共通な事項についても、重複する説明を省略する場合がある。なお、各図の説明では、当該図面には存在せずに先に説明する図には存在する符号を用いて説明する場合がある。
【実施例１】
【００２１】
図１は、（ａ）で本発明の実施例１として、ニットウエア１０に本発明による編地の接合編成方法を適用する状態を簡略化して示し、（ｂ）で編成に使用する横編機１の構成を簡略化して示し、（ｃ）で捨て編み部１３による接合編成時の効果を示す。本発明の実施例１でも、ニットウエア１０を、身頃１１の両側に袖１２をそれぞれ分離した筒状編地として編成し、脇下１０ａに達すると接合して一つの筒状体を形成してから、筒状体の径を縮小するように、編幅を狭める寄せを行う。このような編成で形成するニットウエア１０自体の編成は、図４（ｂ）のニットウエア５と同様に行う。
【００２２】
すなわち、図１（ｂ）に示すように、歯口２を挟んで対向する少なくとも一対の針床３，４と、歯口２下方に配置され、編成されて垂下するニットウエア１０を巻下げる巻下げローラ６を備える横編機１で、先に編成を開始する身頃１１の編成の途中から、袖１２の編成を開始する。ニットウエア１０の編地は、身頃１１を基本編地として編成し、身頃１１を編成している針床３，４の区間とは異なる区間を使用して、ウエール方向の長さが身頃１１よりも短い袖１２を付加編地として編成する。付加編地である袖１２の下端が巻下げ装置である巻下げローラ６に達する前に、付加編地である袖１２を基本編地である身頃１１に接合し、さらに接合後の編地であるニットウエア１０の編幅を減少させる寄せを行う。
【００２３】
実施例１では、袖１２の下端に設ける捨て編み部１３が図４（ｂ）の捨て編み部９，９ａ，９ｂとは異なる。捨て編み部１３は、袖１２の下端に、袖１２を編成する区間の端部のうち、身頃１１を編成している区間に隣接する内側端部よりも、寄せる方向とは逆となる外側端部側に偏在して、外側端部側が長くなる形状となるように設けておく。捨て編み部１３の形状は、袖１２の下端部に対応する編幅を有する広幅部分１３ｂと、広幅部分１３ｂの下端の外側端部側に設けられ、広幅部分１３ｂよりも編幅が狭い狭幅部分１３ａとを有する。半袖などで短い袖１２では、袖１２の下端から脇下１０ａまでの丈が図１（ｂ）に示す巻下げローラ６から歯口２までの高さＨに不足するけれども、捨て編み部１３を袖１２の下端に設ければ、袖１２に狭幅部分１３ａの下端までを加えれば足りるようになる。
【００２４】
したがって、寄せを開始する際には、図１（ｃ）に示すように、捨て編み部１３の外側端部側の下端を巻下げローラ６で巻下げることができる。捨て編み部１３は、狭幅部分１３ａの下端が巻下げローラ６に到達すると、下端が一様ではなく、外側端部側が長くなっているので、外側に傾いた状態で確実に、巻下げローラ６に掛けることができる。捨て編み部１３は、狭幅部分１３ａが寄せを行うまでに巻下げローラ６に掛かるようにすればよいので、ウエール方向の長さを短くして、たとえば図４（ｂ）の捨て編み部９ｂと同程度とすることができる。狭幅部分１３ａでは編幅が小さくなるので、捨て編み部１３での編糸の使用量は、捨て編み部９ｂよりも少なくすることができる。狭幅部分１３ａの巻下げが進行すると、広幅部分１３ｂが巻下げローラ６に掛かるようになり、袖１２の下端部分の全体に対して一様な巻下げ力を作用させることができる。
【００２５】
図２は、図１に示すニットウエア１０に設ける捨て編み部１３の形状と，他の形状の捨て編み部１４，１５，１６，１７の例を示す。（ａ）に示すように、狭幅部分１３ａおよび広幅部分１３ｂは帯状で、狭幅部分１３ａは広幅部分１３ｂの下端の外側端部に設けられる。広幅部分１３ｂのウエール方向の長さは、袖１２の編出しが安定して行えるように定める。たとえば、図１（ｂ）では図示を省略しているけれども、横編機１には、歯口２の直下に、サブローラが備えられ、補助的な編地の引下げが行われる。このような場合、広幅部分１３ｂの長さは、広幅部分１３ｂの下端がサブローラに掛かる状態で、袖１２を編出せるようにすればよい。狭幅部分１３ａの長さは、前述のように、袖１２を脇下１０ａまで編成して、身頃１１と接合した後で寄せを行うまでに、巻下げローラ６掛かるには不足する広幅部分１３ｂの長さを補うようにすればよい。狭幅部分１３ａのコース方向の編目数は、数目、たとえば４目必要となる。
【００２６】
図２（ｂ）に捨て編み部１４として示すように、捨て編み部１３の狭幅部分１３ａと同様な狭幅部分１４ａを、広幅部分１３ｂと同様な広幅部分１４ｂの下端で、外側端部ではなく、少し内側に寄せて設けるようにしてもよい。寄せる程度は、たとえば、狭幅部分の編幅程度までとする。捨て編み部１３，１４の広幅部分１３ｂ，１４ｂと狭幅部分１３ａ，１４ａとは、それぞれ幅の異なる帯状の領域となって分けられる。捨て編み部１３，１４では、広幅部分１３ｂ，１４ｂと狭幅部分１３ａ，１４ａとを帯状に形成すればよいので、それぞれ編幅を一定にして、編糸の使用量を最小限に抑えながら編成することができる。
【００２７】
また、図２（ｃ），（ｄ）に示すように、捨て編み部１５，１６を、広幅部分１３ｂと同様な広幅部分１５ｂ，１６ｂと、編幅が連続的に変化する狭幅部分１５ａ，１６ａとを合わせた形状とすることもできる。（ｅ）に示す捨て編み部１７では、帯状の狭幅部分１７ａと広幅部分１３ｂと同様な広幅部分１７ｂとの間に、編幅が連続的に変化する中間部分１７ｃを設け、狭幅部分１７ａと中間部分１７ｃとの長さを狭幅部分１３ａに対応させる。
【００２８】
以上で説明した各捨て編み部１４，１５，１６，１７は、捨て編み部１３と同様に、編糸の使用量が少なくなっても、寄せを行う際には、編幅の外側に対して巻下げ力を確実に作用させることができ、安定した編成を可能にすることができる。
【００２９】
実施例１のニットウエア１０では、袖１２が身頃１１に対して丈が短い半袖などであるけれども、身頃１１の下部に、スカートやパンツを一体化するような場合、長袖であっても本発明を適用することができる。また身頃１１は、セーターなどのようなコース方向に周回するように編成する筒状編地ではなく、カーディガンのようなコース方向の一部が切断されており、切断部の両端間を往復するＣ字状編地であってもよい。さらに、基本編地や付加編地は、前後の針床３，４で二層に形成する筒状編地に限らず、単層の編地でもよい。また、基本編地である身頃１１の両側に付加編地である袖１２を設けて接合しているけれども、基本編地の片側のみに付加編地を設けて接合し、寄せる場合でも本発明を同様に適用することができる。
【実施例２】
【００３０】
図３は、本発明の実施例２としての編地の接合編成方法を適用するニットウエア２０の簡略化した構成を示す。編地であるニットウエア２０の基本編地となる身頃２１は、裾が広がるスカート部分２１ａと一体に続く形状を有する。スカート部分２１ａの少なくとも下端側は、身頃２１に比較すれば短い袖２２の編成に使用する区間を含む、広い範囲の針床３，４の区間となる範囲Ｗを使用して編成する。捨て編み部１３は、身頃２１の編成途中から、スカート部分の編成に使用する針床の区間の範囲Wの内側で、編成を開始する。付加編地となる袖２２は、捨て編み部１３に続く袖口２２ａから編成を開始し、身頃２１を脇下２１ｂまで編成するまで並行して編成した後、身頃２１に接合する。接合後には、編幅を減少させる寄せを行いながら、肩２２ｂを含んで一体化された身頃を形成する。捨て編み部１３は、寄せを行う際に、巻下げローラ６に狭幅部分１３ａの下端が掛かるように形成しておく。
【００３１】
袖２２や捨て編み部１３の編成に使用する針床３，４の区間は、範囲Ｗに含まれるけれども、狭幅部分１３ａの編成を開始する際には、身頃２１の編幅が減少しており、身頃２１の編成に使用する区間とは異なる区間を使用して編成することができる。図４（ｂ）に示す捨て編み部９を使用する場合、袖８や捨て編み部９は、図３の範囲Ｗよりも編幅の外側の区間で編成する必要がある。範囲Ｗが針床３，４の長さ内であっても比率が大きく、範囲Ｗの両側に捨て編み部９を編成する区間を設けることができない場合は、捨て編み部９を編成することができない。
【００３２】
実施例２では、身頃２１の編成に使用する針床３，４の区間の範囲が減少して捨て編み部１３を編成するための区間を含まなくなってから、捨て編み部１３および袖２２を編成する。これによって、針床３，４を有効に使用して広い裾のスカート部２１ａを含むニットウエア２０を編成することができる。
【００３３】
なお、捨て編み部１３は、スカート部分２１ａの下端に設ける捨て編み部２３に編込んでおいた編糸２４を使用して、編糸２４が捨て編み部２３に繋がる状態で、編成することが好ましい。捨て編み部２３が巻下げローラ６によって巻き下げられると、編糸２４が巻き下げられ、編糸２４が繋がる捨て編み部１３の狭幅部分１３ａも確実に巻下げローラ６に掛かるように案内される。
【００３４】
また、捨て編み部１３としては、図２に示す他の形状の捨て編み部１４，１５，１６，１７でも同様に、ニットウエア２０にも適用することができる。すなわち、裾が拡がったスカート部分２１ａが一体化された身頃２１を有するニットウエア２０の編成は、袖２２の編成をスカート部分２１の編成に使用する針床３，４の区間の内側で後から開始するようにしても、長さに余裕を持たせた捨て編み部に比較して、捨て編み部１３，１４，１５，１６，１７での編糸の使用量を少なくして、安定に行うことができる。また、基本編地の下端に設ける捨て編み部に編込んだ編糸で、付加編地に設ける捨て編み部を編成して、基本編地の下端と付加編地の下端の捨て編み部を編糸で繋いでおくことは、実施例１にも適用することができる。
【符号の説明】
【００３５】
１  横編機
２  歯口
３，４  針床
６  巻下げローラ
１０，２０  ニットウエア
１１，２１  身頃
１２，２２  袖
１３，１４，１５，１６，１７，２３  捨て編み部
１３ａ，１４ａ，１５ａ，１６ａ，１７ａ  狭幅部分
１３ｂ，１４ｂ，１５ｂ，１６ｂ，１７ｂ  広幅部分
１７ｃ  中間部分
２１ａ  スカート部
２４  編糸
【図１】
0005865748.tif 000002
【図２】
0005865748.tif 000003
【図３】
0005865748.tif 000004
【図４】
0005865748.tif 000005